(57)【要約】【課題】よりチラツキを発生させずに、液晶パネルが対応する階調以上の階調表示を擬似的に行うことができる液晶表示装置を提供する。【解決手段】液晶表示装置１００において、ＣＰＵ１８１は、１フレーム当たり（ｎ＋ｍ）ビットの入力画像データにおける下位ｍビットをカットしてｎビットに変換された第１フレーム画像データと、フレーム単位の入力画像データにおける上位ｍビットをカットしてｎビットに変換された第２フレーム画像データとを生成し、第１フレーム画像データにおける上位ｍビットを除くビット及び第２フレーム画像データにおける下位ｍビットを除くビットを１ビット右にシフトさせ、入力画像データの２倍のフレーム駆動周波数でデータ幅ｎビットの液晶表示部１２に出力させ、第１フレーム画像データに対して、第２フレーム画像データに基づく画像出力時のバックライト輝度を弱める。【選択図】図１
2008197527.tif 000002
【特許請求の範囲】
【請求項１】
１フレーム当たり（ｎ＋ｍ）ビット（ここで、ｎ及びｍは、自然数）の入力画像データに基づいて、データ幅ｎビットの液晶表示部に映像を表示する液晶表示装置において、
フレーム単位の前記入力画像データにおける下位ｍビットをカットしてｎビットに変換された第１フレーム画像データと、フレーム単位の前記入力画像データにおける上位ｍビットをカットしてｎビットに変換された第２フレーム画像データと、を生成する生成手段と、
前記生成手段により生成された前記第１フレーム画像データにおける上位ｍビットを除くビット及び前記第２フレーム画像データにおける下位ｍビットを除くビットを、それぞれ１ビット右にシフトするシフト演算を行うシフト演算手段と、
前記シフト演算手段によりシフト演算された前記第１フレーム画像データ及び前記第２フレーム画像データに基づく画像を、前記入力画像データにおける同期信号の周波数の２倍のフレーム駆動周波数で、前記液晶表示部に出力させる出力制御手段と、
前記第１フレーム画像データに基づく画像出力時のバックライト輝度に対して、前記第２フレーム画像データに基づく画像出力時のバックライト輝度を、１／２m  とすることにより、前記第１フレーム画像データに基づく画像出力時のバックライト輝度に対して、前記第２フレーム画像データに基づく画像出力時のバックライト輝度を弱めるバックライト制御手段と、
を備えることを特徴とする液晶表示装置。
【請求項２】
１フレーム当たり（ｎ＋ｍ）ビット（ここで、ｎ及びｍは、自然数）の入力画像データに基づいて、データ幅ｎビットの液晶表示部に映像を表示する液晶表示制御方法において、
フレーム単位の前記入力画像データにおける下位ｍビットをカットしてｎビットに変換された第１フレーム画像データと、フレーム単位の前記入力画像データにおける上位ｍビットをカットしてｎビットに変換された第２フレーム画像データと、を生成する工程と、
次いで、前記第１フレーム画像データにおける上位ｍビットを除くビット及び前記第２フレーム画像データにおける下位ｍビットを除くビットを、それぞれ１ビット右にシフトするシフト演算を行う工程と、
次いで、前記第１フレーム画像データ及び前記第２フレーム画像データに基づく画像を、前記入力画像データにおける同期信号の周波数の２倍のフレーム駆動周波数で、前記液晶表示部に出力させる工程と、
前記第１フレーム画像データに基づく画像出力時のバックライト輝度に対して、前記第２フレーム画像データに基づく画像出力時のバックライト輝度を弱める工程と、
を備えることを特徴とする液晶表示制御方法。
【請求項３】
１フレーム当たり（ｎ＋ｍ）ビット（ここで、ｎ及びｍは、自然数）の入力画像データに基づいて、データ幅ｎビットの液晶表示部に映像を表示する液晶表示装置において、
フレーム単位の前記入力画像データにおける下位ｍビットをカットしてｎビットに変換された第１フレーム画像データと、フレーム単位の前記入力画像データにおける上位ｍビットをカットしてｎビットに変換された第２フレーム画像データと、を生成する生成手段と、
前記生成手段により生成された前記第１フレーム画像データにおける上位ｍビットを除くビット及び前記第２フレーム画像データにおける下位ｍビットを除くビットを、それぞれ１ビット右にシフトするシフト演算を行うシフト演算手段と、
前記シフト演算手段によりシフト演算された前記第１フレーム画像データ及び前記第２フレーム画像データに基づく画像を、前記入力画像データにおける同期信号の周波数の２倍のフレーム駆動周波数で、前記液晶表示部に出力させる出力制御手段と、
前記第１フレーム画像データに基づく画像出力時のバックライト輝度に対して、前記第２フレーム画像データに基づく画像出力時のバックライト輝度を弱めるバックライト制御手段と、
を備えることを特徴とする液晶表示装置。
【発明の詳細な説明】
【技術分野】
【０００１】
本発明は、液晶表示装置及び液晶表示制御方法に関する。
【背景技術】
【０００２】
従来から、液晶パネルが対応する階調以上の階調表示を擬似的に実現し、色深度を改善することができる液晶表示装置が開発されている。
【０００３】
例えば、特許文献１には、透明絶縁性基板上にマトリクスアレイ状に配置した画素電極を画面の表示時間の時分割により駆動し、時分割された画素電極の駆動に対応してバックライトの明るさを強弱させることにより、液晶表示装置に階調表示を行わせる液晶表示装置が開示されている。
また、例えば、特許文献２には、データ配分手段により、入力画像データを元の画像データよりも低解像度の複数フレームの画像データに配分し、光量制御手段により、ドライバによる各フレームの画像データの表示に対応して、バックライトの光量をシーケンス制御する液晶ディスプレイが開示されている。
【特許文献１】特開平５−２７３５２３号公報
【特許文献２】特開２０００−３３８４５９号公報
【発明の開示】
【発明が解決しようとする課題】
【０００４】
しかしながら、特許文献１及び特許文献２の擬似的な階調表示を行う液晶表示装置には、以下の問題がある。すなわち、第１の問題点は、１フレーム目と２フレーム目に液晶パネルに出力する信号値の差分が大きいために、画面にチラツキが発生してしまうというものである。第２に、１フレーム目と２フレーム目に液晶パネルに供給する信号値の差分が大きいため、液晶層の状態遷移に時間がかかって液晶パネルの応答速度が遅くなってしまうという問題である。さらに、第３の問題点は、１フレーム目と２フレーム目に出力する信号値の差分が大きいため、ガンマ歪みの影響を受けやすいという問題である。
【０００５】
本発明の課題は、チラツキの発生をより抑えて、液晶パネルが対応する階調以上の階調表示を擬似的に行うことができる液晶表示装置を提供することである。
【課題を解決するための手段】
【０００６】
上記課題を解決するため、請求項１に記載の発明は、１フレーム当たり（ｎ＋ｍ）ビット（ここで、ｎ及びｍは、自然数）の入力画像データに基づいて、データ幅ｎビットの液晶表示部に映像を表示する液晶表示装置において、
フレーム単位の前記入力画像データにおける下位ｍビットをカットしてｎビットに変換された第１フレーム画像データと、フレーム単位の前記入力画像データにおける上位ｍビットをカットしてｎビットに変換された第２フレーム画像データと、を生成する生成手段と、
前記生成手段により生成された前記第１フレーム画像データにおける上位ｍビットを除くビット及び前記第２フレーム画像データにおける下位ｍビットを除くビットを、それぞれ１ビット右にシフトするシフト演算を行うシフト演算手段と、
前記シフト演算手段によりシフト演算された前記第１フレーム画像データ及び前記第２フレーム画像データに基づく画像を、前記入力画像データにおける同期信号の周波数の２倍のフレーム駆動周波数で、前記液晶表示部に出力させる出力制御手段と、
前記第１フレーム画像データに基づく画像出力時のバックライト輝度に対して、前記第２フレーム画像データに基づく画像出力時のバックライト輝度を、１／２m  とすることにより、前記第１フレーム画像データに基づく画像出力時のバックライト輝度に対して、前記第２フレーム画像データに基づく画像出力時のバックライト輝度を弱めるバックライト制御手段と、
を備えることを特徴とする。
【０００７】
請求項２に記載の発明は、１フレーム当たり（ｎ＋ｍ）ビット（ここで、ｎ及びｍは、自然数）の入力画像データに基づいて、データ幅ｎビットの液晶表示部に映像を表示する液晶表示制御方法において、
フレーム単位の前記入力画像データにおける下位ｍビットをカットしてｎビットに変換された第１フレーム画像データと、フレーム単位の前記入力画像データにおける上位ｍビットをカットしてｎビットに変換された第２フレーム画像データと、を生成する工程と、
次いで、前記第１フレーム画像データにおける上位ｍビットを除くビット及び前記第２フレーム画像データにおける下位ｍビットを除くビットを、それぞれ１ビット右にシフトするシフト演算を行う工程と、
次いで、前記第１フレーム画像データ及び前記第２フレーム画像データに基づく画像を、前記入力画像データにおける同期信号の周波数の２倍のフレーム駆動周波数で、前記液晶表示部に出力させる工程と、
前記第１フレーム画像データに基づく画像出力時のバックライト輝度に対して、前記第２フレーム画像データに基づく画像出力時のバックライト輝度を弱める工程と、
を備えることを特徴とする。
【０００８】
請求項３に記載の発明は、１フレーム当たり（ｎ＋ｍ）ビット（ここで、ｎ及びｍは、自然数）の入力画像データに基づいて、データ幅ｎビットの液晶表示部に映像を表示する液晶表示装置において、
フレーム単位の前記入力画像データにおける下位ｍビットをカットしてｎビットに変換された第１フレーム画像データと、フレーム単位の前記入力画像データにおける上位ｍビットをカットしてｎビットに変換された第２フレーム画像データと、を生成する生成手段と、
前記生成手段により生成された前記第１フレーム画像データにおける上位ｍビットを除くビット及び前記第２フレーム画像データにおける下位ｍビットを除くビットを、それぞれ１ビット右にシフトするシフト演算を行うシフト演算手段と、
前記シフト演算手段によりシフト演算された前記第１フレーム画像データ及び前記第２フレーム画像データに基づく画像を、前記入力画像データにおける同期信号の周波数の２倍のフレーム駆動周波数で、前記液晶表示部に出力させる出力制御手段と、
前記第１フレーム画像データに基づく画像出力時のバックライト輝度に対して、前記第２フレーム画像データに基づく画像出力時のバックライト輝度を弱めるバックライト制御手段と、
を備えることを特徴とする。
【発明の効果】
【０００９】
請求項１に記載の発明によれば、生成手段により、フレーム単位の入力画像データにおける下位ｍビットがカットされてｎビットに変換された第１フレーム画像データと、フレーム単位の入力画像データにおける上位ｍビットがカットされてｎビットに変換された第２フレーム画像データと、が生成され、シフト演算手段により、生成手段により生成された第１フレーム画像データにおける上位ｍビットを除くビット及び第２フレーム画像データにおける下位ｍビットを除くビットが、それぞれ１ビット右にシフトされるシフト演算が行われ、出力制御手段により、シフト演算手段によりシフト演算された第１フレーム画像データ及び第２フレーム画像データに基づく画像が、入力画像データにおける同期信号の周波数の２倍のフレーム駆動周波数で、液晶表示部に出力され、バックライト制御手段により、第１フレーム画像データに基づく画像出力時のバックライト輝度に対して、第２フレーム画像データに基づく画像出力時のバックライト輝度が、１／２m  とされることにより、第１フレーム画像データに基づく画像出力時のバックライト輝度に対して、第２フレーム画像データに基づく画像出力時のバックライト輝度が弱められる。
したがって、１フレーム目及び２フレーム目に出力する信号値の差分を平均的に小さくできることとなって、チラツキの発生をより抑えて、液晶パネルが対応する階調以上の階調表示を擬似的に行うことができる液晶表示装置を提供することができる。また、バックライト制御手段により、第１フレーム画像データに基づく画像出力時のバックライト輝度に対して、第２フレーム画像データに基づく画像出力時のバックライト輝度が、１／２m  とされるため、液晶パネルに表示される画像の階調を最も効果的に改善させることができる。
【００１０】
請求項２に記載の発明によれば、フレーム単位の入力画像データにおける下位ｍビットがカットされてｎビットに変換された第１フレーム画像データと、フレーム単位の入力画像データにおける上位ｍビットがカットされてｎビットに変換された第２フレーム画像データと、が生成され、次いで、第１フレーム画像データにおける上位ｍビットを除くビット及び第２フレーム画像データにおける下位ｍビットを除くビットが、それぞれ１ビット右にシフトされるシフト演算が行われ、次いで、第１フレーム画像データ及び第２フレーム画像データに基づく画像が、入力画像データにおける同期信号の周波数の２倍のフレーム駆動周波数で、液晶表示部に出力され、第１フレーム画像データに基づく画像出力時のバックライト輝度に対して、第２フレーム画像データに基づく画像出力時のバックライト輝度が弱められる。
したがって、１フレーム目及び２フレーム目に出力する信号値の差分を平均的に小さくできることとなって、チラツキの発生をより抑えて、液晶パネルが対応する階調以上の階調表示を擬似的に行うことができる液晶表示装置を提供することができる。
【００１１】
請求項３に記載の発明によれば、フレーム単位の入力画像データにおける下位ｍビットがカットされてｎビットに変換された第１フレーム画像データと、フレーム単位の入力画像データにおける上位ｍビットがカットされてｎビットに変換された第２フレーム画像データと、が生成され、シフト演算手段により、生成手段により生成された第１フレーム画像データにおける上位ｍビットを除くビット及び第２フレーム画像データにおける下位ｍビットを除くビットが、それぞれ１ビット右にシフトされるシフト演算が行われ、出力制御手段により、シフト演算手段によりシフト演算された第１フレーム画像データ及び第２フレーム画像データに基づく画像が、入力画像データにおける同期信号の周波数の２倍のフレーム駆動周波数で、液晶表示部に出力され、バックライト制御手段により、第１フレーム画像データに基づく画像出力時のバックライト輝度に対して、第２フレーム画像データに基づく画像出力時のバックライト輝度が弱められる。
したがって、１フレーム目及び２フレーム目に出力する信号値の差分を平均的に小さくできることとなって、チラツキの発生をより抑えて、液晶パネルが対応する階調以上の階調表示を擬似的に行うことができる液晶表示装置を提供することができる。
【発明を実施するための最良の形態】
【００１２】
以下、本発明の実施の形態を、図面を参照しながら詳細に説明する。
本実施形態の液晶表示装置は、所定のデータ幅ｎビットの液晶表示部を備えている。本液晶表示装置では、１フレーム当たり（ｎ＋ｍ）ビット（ここで、ｎ及びｍは、自然数）の入力画像データに対して、以下に説明する所定の信号処理を行うことで、ｎビットパネルが本来表示可能なビット数を超えた入力画像データのビット数（ｎ＋ｍビット）での階調表示を実現する。
【００１３】
まず、本実施形態における液晶表示装置１００の要部構成について説明する。図１は、本実施形態における液晶表示装置１００の要部構成を例示するブロック図である。
【００１４】
本液晶表示装置１００は、例えば、図１に示すように、装置本体部１内に、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、オーディオデコーダ７により復号された音声信号に対して所定の処理を行う音声処理部８と、音声処理部８により処理された音声信号を出力する音声出力部９と、ビデオデコーダ６により復号された映像信号から同期信号を分離する同期分離回路１０と、ビデオデコーダ６により復号された映像信号に対して所定の映像処理を行う映像処理部１１と、映像処理部１１により処理された映像信号を出力する液晶（LCD :Liquid Crystal Display）表示部１２と、液晶表示部１２を駆動するゲート線駆動部１３及びデータ線駆動部１４と、同期分離回路１０により入力画像データから分離された同期信号の周波数を逓倍する倍速変換部１５と、液晶表示部１２に備わるバックライト１２２を制御するバックライト制御部１６と、各種操作を行うためのキー操作部１７と、装置本体部１全体を統括制御する制御部１８と、等を備えており、各部は制御バス１９により接続されている。
【００１５】
アンテナ２は、例えば、屋外において所定の方向に向けて配置され、図示しないテレビジョン放送局等から発信される高周波（RF）のテレビジョン放送信号（RF信号）を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合する。さらに、特定の周波数を選局するための制御部１８からの制御出力に応じて、特定周波数帯の中間周波信号（IF信号）を受信し、当該中間周波信号に所定の処理を行って復調部４に出力する。
復調部４は、例えば、制御部１８からの制御に基づいて、チューナ３から出力された中間周波信号に対してデジタル復調や誤り訂正などの処理を実行し、トランスポートストリーム（TS）を生成して、ＴＳデコーダ５に出力する。
【００１６】
ＴＳデコーダ５は、復調部４から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等のデータストリームに分離するとともに、当該ビデオストリームをビデオデコーダ６に、オーディオストリームをオーディオデコーダ７に出力し、さらに、ＰＳＩ／ＳＩ等のデータストリームを制御部１８等に供給する。
ビデオデコーダ６は、ＴＳデコーダ５から入力されたビデオストリームを復号し、逆ＤＣＴ変換や動き補償制御等を行い、画像データ（入力画像データ）を生成して映像処理部１１に出力する。また、オーディオデコーダ７は、ＴＳデコーダ５から入力されたオーディオストリームを復号し、音声データを生成して音声処理部８に出力する。
【００１７】
音声処理部８は、オーディオデコーダ７から入力された音声データに対して、Ｄ／Ａ変換等の各種処理を行い、音声信号を生成して音声出力部９に出力する。
音声出力部９は、例えば、スピーカ９ａ等を備え、音声処理部８から入力された音声信号に基づく音声を当該スピーカ９ａにより出力させる。
【００１８】
同期分離回路１０は、ビデオデコーダ６により復号された映像信号から同期信号を分離し、バックライト制御部１６に送出する。
【００１９】
映像処理部１１は、例えば、図２に示すように、メモリ１１１と、データ処理部１１２と、選択部１１３と、バッファ１１４等を備えて構成され、ビデオデコーダ６から入力される入力画像データに対して所定の信号処理を行う。
【００２０】
具体的には、映像処理部１１では、まず初めに、入力される１フレーム当たり（ｎ＋ｍ）ビットの入力画像データをメモリ１１１に書き込み、書き込みクロック周波数の２倍の読みだしクロック周波数で、書き込まれたデータを（ｎ＋ｍ）ビット毎に２度読み出して、入力画像データを２倍に倍増する。
【００２１】
データ処理部１１２には、メモリ１１１から読み出され、２倍に倍増された入力画像データの各々を保持する第１フレームメモリ１１２１及び第２フレームメモリ１１２２が設けられている。データ処理部１１２は、まず、メモリ１１１から１度目に読み出されたフレーム単位の入力画像データにおける下位ｍビットをカットしてｎビットに変換し、第１フレーム画像データを生成する。続いて、メモリ１１１から２度目に読み出されたフレーム単位の入力画像データにおける上位ｍビットをカットしてｎビットに変換し、第２フレーム画像データを生成する。
次に、生成されたｎビットの第１フレーム画像データにおける上位ｍビットを除いて、ビットの信号値を１／２化するシフト演算を行う。続いて、ｎビットの第２フレーム画像データにおける下位ｍビットを除いて、ビットの信号値を１／２化するシフト演算を行う。
具体的には、データ処理部１１２は、制御部１８からの制御に従って、（ｎ＋ｍ）ビットの入力画像データにおける下位ｍビットがカットされることにより生成されたｎビットの第１フレーム画像データに対して、上位ｍビット以外の（ｎ−ｍ）ビットを１ビット右にシフトさせる。また、（ｎ＋ｍ）ビットの入力画像データにおける上位ｍビットがカットされることにより生成されたｎビットの第２フレーム画像データに対して、下位ｍビット以外の（ｎ−ｍ）ビットを１ビット右にシフトさせる。このとき、第１フレーム画像データのシフト演算における桁あふれは切り上げし、第２フレーム画像データのシフト演算における桁あふれは切り捨てる。
【００２２】
選択部１１３は、データ処理部１１２においてシフト演算が行われた第１フレーム画像データと、第２フレーム画像データを交互に選択し、バッファ１１４に出力する。
バッファ１１４は、データ処理部１１２から入力される第１フレーム画像データと、第２フレーム画像データを一時的に保持するとともに、倍速変換部１５から出力される同期信号に基づいて、入力画像データにおける同期信号の周波数の２倍のフレーム駆動周波数で、液晶表示部１２に出力する。
【００２３】
液晶表示部１２は、液晶パネル１２１を備え、映像処理部１１から入力された映像信号に基づく映像を当該液晶パネル１２１に表示させる。
液晶表示部１２に備わる液晶パネル１２１は、例えば、図示は省略するものの、ガラス基板と、このガラス基板に対して所定の間隔を隔てて配設された対向基板とを張り合わせ、これらガラス基板及び対向基板を２枚の偏光板で挟むとともに、ガラス基板及び対向基板の間に液晶層が封入された構成となっており、液晶パネル１２１の裏側にはバックライト１２２が配設されている。
ガラス基板の上には、複数の画素電極がマトリクス状に配設され、一方、当該画素電極に対向して対向基板上に対向電極が形成されている。各画素電極は、これを駆動する薄膜トランジスタ（TFT: Thin Film Transistor）を、マトリクス状のゲート線及びデータ線と接続されるように配設されており、画素電極に供給された画素電極電圧と、対向電極に供給された対向電極電圧との電位差によって、画素電極と対向電極との間に封入された領域の液晶層が配列方向を変え、偏光板と配向膜とともに動作して、背面側からの光を通過／遮断させる液晶シャッターとして作用する。また、対応基板側にはＲＧＢのカラーフィルタが設けられ、液晶パネル１２１においてカラー表示を行う。
【００２４】
ゲート線駆動部１３は、液晶表示部１２におけるゲート線の各々の対応して設けられており、同一のゲート線上に連なる薄膜トランジスタをオンさせる電圧或いはオフさせる電圧をゲート線に供給する。
データ線駆動部１４は、液晶表示部１２におけるデータ線の各々に対応して設けられており、信号処理部から入力される映像データに応じた電圧を、ゲート線駆動部１３から出力される同期信号と同期してデータ線に出力する。
このような液晶表示部１２及び駆動部１３、１４において、ゲート線駆動部１３により高電位の電圧を一のゲート線に供給するとともに、各データ線に、映像処理部１１から出力されるデータに応じた電圧値の電圧を供給し、これを、上のゲート線から下のゲート線まで順に繰り返すことにより、１フレーム分の画像が液晶パネル１２１に表示されることとなる。
【００２５】
倍速変換部１５は、同期分離回路１０により、入力画像データから分離された同期信号の周波数を逓倍するＰＬＬ回路を備え、例えば、同期信号の周波数を２倍の周波数に倍速変換し、バックライト制御部１６と、映像処理部１１に備わるバッファ１１４に出力する。
バックライト制御部１６は、制御部１８の制御に従い、倍速変換部１５から出力される同期信号に基づく入力画像データの２倍のフレーム駆動周波数により、液晶表示部１２に備わるバックライト１２２に対してバックライト制御信号を出力して、バックライト１２２を所定の輝度に点灯させるバックライト制御を行う。
【００２６】
キー操作部１７は、例えば、遠隔操作を行うためのリモートコントローラ（以下、「リモコン」と称する）に備わり、ユーザが各種指示を入力するための複数のキーを備えている。当該キー操作部１７において、ユーザによるキーの押下操作が行われると、押下されたキーに対応する入力操作信号が出力され、この入力操作信号が制御部１８において受信されると、制御部１８により押下されたキーに対応する制御が実行されることとなる。
【００２７】
制御部１８は、例えば、ＣＰＵ（Central Processing Unit）１８１、メモリ部１８２、ＲＯＭ（Read Only Memory）１８３等を備えて構成されている。
【００２８】
ＣＰＵ１８１は、装置本体部１の各部から入力された入力信号や、リモコン等における各種キーの押下操作によって入力された入力操作信号等に応じて、ＲＯＭ１８３に格納された各種プログラムを実行するとともに、実行にかかるプログラムに基づいて装置本体部１の各部に出力信号を出力することにより、液晶表示装置１００の動作全般を統括制御する。
【００２９】
メモリ部１８２は、例えば、ＲＡＭ（Random Access Memory）等の揮発性メモリからなるワークエリア１８２１を備えており、ＣＰＵ１８１によって各種プログラムが実行される際に生じる処理結果や、入力されたデータ等をこのワークエリア１８２１に記憶させる。
また、メモリ部１８２は、ＥＰＲＯＭ（Erasable Programmable ROM）等の不揮発性メモリからなるデータエリア１８２２を備えている。
【００３０】
ＲＯＭ１８３は、例えば、不揮発性メモリから成るプログラム格納エリアを有しており、具体的には、信号処理プログラム１８３ａ、出力制御プログラム１８３ｂ、バックライト制御プログラム１８３ｃ等を記憶している。
【００３１】
信号処理プログラム１８３ａは、例えば、ＣＰＵ１８１に、１フレーム当たり（ｎ＋ｍ）ビットの入力画像データに基づいて、当該入力画像データにおける下位ｍビットをカットしてｎビットに変換された第１フレーム画像データと、フレーム単位の入力画像データにおける上位ｍビットをカットしてｎビットに変換された第２フレーム画像データと、を生成する処理を行うとともに、生成された第１フレーム画像データにおける上位ｍビットを除くビット及び第２フレーム画像データにおける下位ｍビットを除くビットを、それぞれ１ビット右にシフトするシフト演算処理を映像処理部１１に実行させる。
ＣＰＵ１８１は、かかる信号処理プログラム１８３ａを実行することにより、映像処理部１１とともに生成手段及びシフト演算手段として機能する。
【００３２】
ここで、図３を用いて、信号処理プログラム１８３ａの実行において、上述した映像処理部１１において行われる信号処理の具体例について説明する。
なお、以下の説明において、例えば、ｎ＝８、ｍ＝２として、液晶表示装置１００には、ＲＧＢの各信号を２５６段階で表現するデータ幅８ビットの液晶パネル１２１が備わるものとする。また、１フレーム当たり（ｎ＋ｍ）ビットの入力画像データは、１０ビットのデータであるものとする。
【００３３】
まず初めに、ＣＰＵ１８１は、図３（ａ）に示すように、映像処理部１１に１フレーム当たり１０ビットの入力画像データ「００１１１０１１０１」が入力されると、この入力画像データをメモリ１１１に書き込むとともに、書き込みクロック周波数の２倍の読みだしクロック周波数で２度読み出し、入力画像データを２倍のデータ「００１１１０１１０１」（これを、「１つ目のデータ」とする）、「００１１１０１１０１」（これを、「２つ目のデータ」とする）に倍増させ、各データをデータ処理部１１２に出力させる。
【００３４】
次に、ＣＰＵ１８１は、図３（ｂ）に示すように、データ処理部１１２において、１つ目のデータ「００１１１０１１０１」の下位２ビットをカットして８ビットに変換することにより、第１フレーム画像データ「００１１１０１１」を生成させる。さらに、２つ目のデータ「００１１１０１１０１」における上位２ビットをカットして８ビットに変換し、第２フレーム画像データ「１１１０１１０１」を生成させる。
【００３５】
次いで、ＣＰＵ１８１は、図３（ｃ）に示すように、データ処理部１１２において、８ビットの第１フレーム画像データ「００１１１０１１」における上位２ビット以外の６ビットを、１ビット右にシフトさせるとともに、桁あふれは切り上げるシフト演算を行って、第１フレーム画像データを「０００１１１１０」に変換する。また、８ビットの第２フレーム画像データ「１１１０１１０１」における下位２ビット以外の６ビットを、１ビット右にシフトさせるとともに、桁あふれは切り捨てるシフト演算を行って、第２フレーム画像データを「０１１１０１０１」に変換する。
【００３６】
出力制御プログラム１８３ｂは、信号処理プログラム１８３ａの実行においてシフト演算された第１フレーム画像データ及び第２フレーム画像データに基づく画像を、入力画像データの周波数の２倍のフレーム駆動周波数で、液晶表示部１２に出力する機能を実現させるためのプログラムである。
具体的には、ＣＰＵ１８１は、上述した信号処理プログラム１８３ａの実行において、シフト演算が行われた第１フレーム画像データと、第２フレーム画像データを、選択部１１３において交互に選択し、液晶表示部１２に対して出力する。このとき、ＣＰＵ１８１は、第１フレーム画像データ及び第２フレーム画像データを、一時的にバッファ１１４に蓄えるとともに、入力画像データから分離した同期信号の周波数の２倍のフレーム駆動周波数で、バッファ１１４から読み出して液晶表示部１２に出力する。すなわち、例えば、入力画像データから分離された同期信号の周波数が６０Ｈｚである場合には、１２０Ｈｚのフレーム駆動周波数で、第１フレーム画像データ及び第２フレーム画像データが交互に液晶表示部１２に出力されることとなる。
ＣＰＵ１８１は、かかる出力制御プログラム１８３ｂを実行することにより、出力制御手段として機能する。
【００３７】
バックライト制御プログラム１８３ｃは、第１フレーム画像データに基づく画像出力時のバックライト輝度に対して、第２フレーム画像データに基づく画像出力時のバックライト輝度を、１／２m  とすることにより、第１フレーム画像データに基づく画像出力時のバックライト輝度に対して、第２フレーム画像データに基づく画像出力時のバックライト輝度を弱める機能を実現させるためのプログラムである。
具体的には、ＣＰＵ１８１は、バックライト制御部１６により、映像処理部１１のバッファ１１４から出力される第１フレーム画像データ及び第２フレーム画像データの出力の切り替えに合わせて、バックライト１２２の点灯を制御する。例えば、上述のようにｎ＝８、ｍ＝２とした場合、ＣＰＵ１８１は、データ幅８ビットの液晶パネル１２１を備える液晶表示部１２に第１フレーム画像データを出力する時、バックライト制御部１６により、１００％のバックライト輝度でバックライト１２２を点灯させる。また、ＣＰＵ１８１は、液晶表示部１２に対する第２フレーム画像データを出力する時、バックライト制御部１６により、第１フレーム画像出力時の４分の１の２５％のバックライト輝度でバックライト１２２を点灯させる。これにより、液晶パネル１２１に表示される画像の画質が２５％（すなわち、２ビット分）改善されることとなる。
ＣＰＵ１８１は、かかるバックライト制御プログラム１８３ｃを実行することにより、バックライト制御手段として機能する。
【００３８】
上述のように、本液晶表示装置１００においては、映像処理部１１において生成されてシフト演算が行われた第１フレーム画像データと、第２フレーム画像データを、順次切り替えて映像表示部に出力することにより、第１フレーム画像データ及び第２フレーム画像データで一画面を表示するとともに、第１フレーム画像データ出力時及び第２フレーム画像データ出力時のバックライト１２２の最大輝度を切り替える。これにより、液晶パネル１２１が本来表現可能な階調以上の階調表示が実現されることとなり、例えば、２５６階調表示を行う８ビットパネルにおいて、入力画像データに応じた１０ビットでの階調（すなわち、１０２４階調）で画像が表示されることとなる。
【００３９】
以上説明した本実施形態における映像表示装置は、１フレーム当たり（ｎ＋ｍ）ビット（ここで、ｎ及びｍは、自然数）の入力画像データに基づいて映像を表示するデータ幅ｎビットの液晶表示部１２を備え、ＣＰＵ１８１による信号処理プログラム１８３ａの実行により、フレーム単位の入力画像データにおける下位ｍビットがカットされてｎビットに変換された第１フレーム画像データと、フレーム単位の入力画像データにおける上位ｍビットがカットされてｎビットに変換された第２フレーム画像データと、が生成され、生成された第１フレーム画像データにおける上位ｍビットを除くビット及び第２フレーム画像データにおける下位ｍビットを除くビットが、それぞれ右にシフトされるシフト演算が行われる。また、ＣＰＵ１８１による出力制御プログラム１８３ｂの実行により、信号処理プログラム１８３ａの実行によりシフト演算された第１フレーム画像データ及び第２フレーム画像データに基づく画像が、入力画像データにおける同期信号の周波数の２倍のフレーム駆動周波数で液晶表示部１２に出力され、ＣＰＵ１８１によるバックライト制御プログラム１８３ｃの実行により、第１フレーム画像データに基づく画像出力時のバックライト輝度に対して、第２フレーム画像データに基づく画像出力時のバックライト輝度が、１／２m  とされることにより、第１フレーム画像データに基づく画像出力時のバックライト輝度に対して、第２フレーム画像データに基づく画像出力時のバックライト輝度が弱められる。
したがって、１フレーム目及び２フレーム目に出力する信号値の差分が平均的に小さくなるため、チラツキの発生をより抑えて、液晶パネル１２１が対応する階調以上の階調表示を擬似的に行うことができる液晶表示装置１００を提供することができる。また、第１フレーム画像データに基づく画像出力時のバックライト輝度に対して、第２フレーム画像データに基づく画像出力時のバックライト輝度が、１／２m  とされるため、液晶パネル１２１に表示される画像の階調を最も効果的に改善させることができる。
【００４０】
また、本液晶表示装置１００によれば、液晶駆動時に１フレーム目と２フレーム目に液晶パネル１２１に出力する信号値の差分が小さくなるため、液晶層をより高速に状態遷移させることができることとなって、液晶パネル１２１の応答速度が速くなり、駆動速度に対するマージンを増やすことができる。
さらに、本液晶表示装置１００では、１フレーム目と２フレーム目にそれぞれ中間色を出力して輝度レベルを重ね合わせることにより画像表示を行っているため、ガンマ歪みの影響を軽減することができる。
【００４１】
なお、本発明は、上記実施の形態に限られることなく、本発明の趣旨を逸脱しない範囲において、種々の改良並びに設計の変更を行っても良い。
【図面の簡単な説明】
【００４２】
【図１】本実施形態における液晶表示装置の要部構成を例示するブロック図である。
【図２】映像処理部の要部構成を例示するブロック図である。
【図３】信号処理プログラムの実行に際して映像処理部において行われる信号処理を説明するための図である。
【符号の説明】
【００４３】
１００    液晶表示装置
１１      映像処理部（生成手段、シフト演算手段）
１２      液晶表示部
１６      バックライト制御部（バックライト制御手段）
１８１    ＣＰＵ（生成手段、シフト演算手段、出力制御手段、バックライト制御手段）
１８３ａ  信号処理プログラム（生成手段、シフト演算手段）
１８３ｂ  出力制御プログラム（出力制御手段）
１８３ｃ  バックライト制御プログラム（バックライト制御手段）
【図１】
2008197527.tif 000003
【図２】
2008197527.tif 000004
【図３】
2008197527.tif 000005